(57)【要約】【課題】  広範囲に渡る多数建物内各個室の人員状況を把握し、きめ細かに運転を自動制御することでエネルギーを効率的に使用することが可能となるエネルギー管理システムを提供するものである。【解決手段】  ICタグリーダー２０１から収集した個人の識別情報や人の移動による位置情報を、監視装置１０１に記憶された情報と端末装置１０２、又は１０３からの入力情報を基に適正化処理を行うことで、人の手を介せず換気装置７０１、換気装置７０２、空気調和装置８０１と空気調和装置８０２の運転を自動制御するシステムとした。【選択図】  図１
2008117098.tif 000002
【特許請求の範囲】
【請求項１】
装置の運転管理を行う運転管理システムにおいて、
ＩＣタグに記録された情報を読み込むICタグリーダと、
該ICタグリーダが読み取ったタグ情報を受信する監視装置とを備え、
前記監視装置は、送信されたタグ情報と、前記監視装置内に記憶されている情報又は監視装置に接続された端末装置からの入力情報を基に処理を行い、
処理の結果に基づいて、前記装置の運転状態を制御することを特徴とする運転管理システム。
【請求項２】
前記監視装置は、読み込まれたタグ情報、端末装置からの入力情報及び運転結果を記録しWebページを生成し、前記端末装置からのリクエストに応じて、前記生成したWebページのページデータを送信することを特徴とする請求項１記載の運転管理システム。
【請求項３】
前記入力情報は、前記装置の運転の変更又は修正に関する情報であり、
該情報は、前記生成されたWebページにおいて入力され、
前記関し装置は、前記入力された情報を記録することを特徴とする請求項２記載の運転管理システム。
【発明の詳細な説明】
【技術分野】
【０００１】
本発明は、運転管理システムに関し、特に、ICタグの情報を基に装置の運転状態を制御することで、装置のエネルギー消費量を削減する運転管理システムに関するものである。
【背景技術】
【０００２】
近年、エネルギー削減について、数々の省エネ施策が実施されている。その中に、エネルギー消費を管理するシステムとして、センサ装置からデータを収集して帳票形式および／またはグラフ形式を含むＷｅｂページデータを生成し、監視装置からのリクエストに応じて基幹通信回線を介して送信することを特徴とするエネルギー管理システムのような、電力使用量などの情報を把握する装置はあるが、実際のユーティリティー設備の制御に至っては、収集した情報は人の手により解析し、解析した結果を基にユーティリティー設備を手動にて制御する、又は解析結果から専用の制御装置の導入している技術がある（特許文献１）。
【０００３】
【特許文献１】特開２００５-０７３４１５号公報
【発明の開示】
【発明が解決しようとする課題】
【０００４】
従来の問題点は収集したデータを有効に活用するためには、人の手を介して解析した結果に基づき、手動にて制御を行っているため、個人の解析能力により大きく左右される点である。
【０００５】
本発明の目的は、装置のきめ細かな運転制御を行うことができる運転管理システムを提供することにある。
【課題を解決するための手段】
【０００６】
上記目的を達成するために本発明は、収集する情報を電力使用量などの数値情報から、ICタグにより識別された個人情報や人の移動による位置情報に変え、監視装置内に記憶された情報と端末装置からの入力情報を基に適正化処理を行うことで、人の手を介せずユーティリティー設備の運転を制御することを特徴とする。
【発明の効果】
【０００７】
本発明によれば、身に付けたICタグによって人の移動による位置情報を検知するため、操作を自動化することができ、きめ細かな運転制御を実現することができる。これにより、エネルギーを効率的に使用することが可能となる。
【発明を実施するための最良の形態】
【０００８】
以下、本発明の実施形態を、図を用いて説明する。
【０００９】
図１は、運転管理システムの全体構成図を示す。入門者は工場入り口、又は個室入り口のICタグリーダー（以下、単にリーダーという）２０１、２０２又は２０３にてタグ情報を入力することにより、プロトコル機能付制御端末（以下、単に制御端末という）３０１からLAN回線を通じ監視装置１０１に情報を転送すると、監視装置１０１はタグ情報にひも付けられた監視装置１０１に記録されているデータ、及び端末装置１０２、又は１０３からの入力情報により処理し、その結果を、LAN回線を通じプロトコル機能付入出力装置（以下、単に入出力装置という）４０１、４０２、４０３又は４０４へ制御信号を伝送する。伝送された制御信号を受けたインバータ５０１、又は５０２が換気装置７０１，又は７０２の運転を制御する。同様に空気調和装置の場合は、伝送された制御信号を受けた集中監視装置(以下、単にコントローラという)６０１が空調調和装置(以下、単に空調機という)８０１、又は８０２の運転を制御する。照明装置の場合は、伝送された制御信号を受けたコントローラ６０２が照明装置９０１，又は９０２の運転を制御する。ポンプ操値の場合は、伝送された制御信号を受けたインバータ５０５がポンプ装置７１０の運転を制御する。その他設備の電源を制御する場合は、入出力装置４０４の制御端子(信号線)にて設備の電源装置７２０を制御する。
【００１０】
図２は、ICタグに記録された情報であり、図１の監視装置１０１に記録されている情報にひも付けられる。
【００１１】
図３は、監視装置１０１でWebページ生成過程における入出力情報のブロック図である。入力情報には、ICタグ情報４０、端末装置４１や集中監視装置６１と６２からのフィードバック情報がある。出力情報には、インバータ６０と６３、集中監視装置６１と６２、及び直接出力がある。この入出力状態を監視情報と監視装置１０１内に記録された情報を加味して生成し、これを体系的に帳票形式やグラフ形式によって表示する。生成されたWebページは端末装置１０２、又は１０３などのネットワーク接続された端末装置からのリクエストに応じてWebページデータを送信する。
【００１２】
図４は、建物に設置されている換気装置７０１から７０４を制御方法であり、換気装置は各階の同一エリアの換気を分担している。ICタグの保持者は工場入り口のリーダー２０１を通過することによって、制御端末３０１からLAN回線を通じ監視装置１０１に情報を転送する。監視装置１０１は転送された情報を基に換気装置の運転範囲内に想定される人数を割り出し、人数に応じた回転速度を計算する。その結果はLAN回線を通じ入出力装置４０１へ制御信号として伝送する。伝送された制御信号を受けたインバータ５０１から５０４が換気装置７０１から７０４の回転速度を制御する。
【００１３】
図５は、ICタグの保持者が工場入り口のリーダー２０１を通過することによって、制御端末３０１からLAN回線を通じ監視装置１０１に情報を転送する。監視装置１０１は転送された情報を基に、予め端末装置１０２、又は１０３から登録された応接室の利用者やICタグにひも付けされた不快温度情報(実施例７の制御記録)と、集中監視装置６０１からの室内温度情報を照合する。その結果、監視装置１０１はLAN回線を通じ集中監視装置６０１に制御信号を伝送する。伝送された制御信号を受けた集中監視装置６０１は必要な応接室の空調機８０１、又は８０２の運転を開始する。次にICタグ保持者が応接室入り口のリーダー２０２を通過することによって、制御端末３０２からLAN回線を通じ監視装置１０１に情報を転送する。監視装置１０１は転送された情報と、入室時間や集中監視装置６０２からの照度情報を比較し、照明の必要な場合にはLAN回線を通じ集中監視装置６０２に制御信号を伝送する。伝送された制御信号を受けた集中監視装置６０２は照明装置９０１、又は９０２を点灯する。ICタグ保持者が応接室を退出した際、一定時間(５分程度)内に、他の入り口のリーダー２０３を通過した場合、空調機の運転停止や照明の消灯などを制御する。
【００１４】
図６は、製造現場や事務所など多数の従事者が１つのフロアに集合している場合の制御である。フロアの空調機８０１、又は８０２の運転はフロア入り口のリ-ダー２０３の通過により制御端末３０３からLAN回線を通じ監視装置１０１に情報を転送する。監視装置１０１は転送された情報を基に、装置内に記録されているICタグにひも付けされた個人の不快温度情報(実施例７の制御記録)と集中監視装置６０１からの室内温度情報を基に処理し、集中監視装置６０１に制御信号を伝送する。伝送された制御信号を受けた集中監視装置６０１は空調機８０１、又は８０２の運転を開始する。運転開始後の温度設定変更は、空調機リーダー２０４からのICタグの読み込みや、端末装置(個人識別IDを有するPC)１０２、又は１０３によって個人を識別できた場合に変更が可能となる。
【００１５】
図７は、図５に示す監視装置１０１の処理結果によって制御された空調機の温度設定であって、図６のフロア入り口のリ-ダー２０３を通過することによって運転を開始した運転パターンであり、例として冷房時期のパターンを示したものである。この運転パターンのうち、空調機の温度設定を変更しなかった場合の運転は、運転を開始した後の一定時間(１時間程度)を経過して設定変化点１０に至り、設定変化点１０から一定の温度上昇こう配(２時間で１度程度)により変化し、設定温度上限と接する設定変化点１１にて設定を維持するように変化する。
【００１６】
また、空調機の温度設定を変更した場合の運転パターンは、設定変化点１２から一定の温度上昇こう配により変化し設定変更点２０に達する。この設定変更点２０に達した時点で設定温度を下げようとした場合、図６に示す空調機センサ２０４からのICタグの読み込みや、端末装置(個人識別IDを有するPC)１０２、又は１０３からの入力によって設定温度が変更できる。変更した後の温度設定は一定時間を経過して設定変化点１３に至り、一定の温度上昇こう配により上昇する。設定変更点２１と設定変化点１４でも同様のパターンとなり、効率的な運転パターンを行う。図６の監視装置１０１は、空調機センサ２０４からのICタグの読み込みや、端末装置(個人識別IDを有するPC)１０２、又は１０３から入力された温度設定は個人の不快温度情報として監視装置１０１に記録される。この不快温度情報は、実施例６の処理で利用されており、フロアに入場する個人の不快温度情報に比べ室内温度が上回らない限り運転を開始しない。
【００１７】
温度設定が変更された運転パターンは、図６の監視装置１０１に記録され翌日の運転パターンにフィードバックされる。その結果、前日の設定変更点２０の変更温度を基に初期設定点３０を決定する。また、初期設定点３０から設定変化点１５と設定変化点１６を経由し設定変化点１７に至る間で、個人の不快温度情報を超えないよう制御される。
【００１８】
なお、図６の監視装置１０１に記録されフィードバックにより学習した運転パターンは季節、月、又は旬ごとに１年間記録し、次年度の運転パターンに反映されるため、ICタグの読み込みにより運転を自動化すると共に、できる。
【図面の簡単な説明】
【００１９】
【図１】運転管理システム全体の構成図である。
【図２】ICタグ情報のフォーマット図である。
【図３】Webページ生成過程における入出力情報のブロック図である。
【図４】集中換気装置運転制御のシステム構成図である。
【図５】個室ごとの運転制御システム構成図である。
【図６】フロア単位の運転制御システム構成図である。
【図７】空調機設定温度の運転パターン図である。
【符号の説明】
【００２０】
４１：端末装置、５０：入力インターフェース、５１：入／出力インターフェース、５２：ＣＰＵ、５３：ICタグにひも付けられた情報記録、５４：運転記録、６０、６３：インバータ、６１、６２：集中監視装置、１０１：監視装置、１０２、１０３：端末装置
【図１】
2008117098.tif 000003
【図２】
2008117098.tif 000004
【図３】
2008117098.tif 000005
【図４】
2008117098.tif 000006
【図５】
2008117098.tif 000007
【図６】
2008117098.tif 000008
【図７】
2008117098.tif 000009